(57)【要約】  本願開示はアンカーアセンブリに関する。該アンカーアセンブリは、遠位端部と近位端部とを備えるアンカーであって、キャビティー及び前記キャビティーに対する開口部を画定しているアンカーと、前記アンカーの前記キャビティー内に配置された挿入部材と、前記アンカーに連結されたスリーブであって、前記アンカーの前記近位端部上に配置されたスリーブと、を含む。供給装置はまた開示される。
2013510660.tif 000002
【特許請求の範囲】
【請求項１】
遠位端部と近位端部とを備えるアンカーであって、キャビティー及び前記キャビティーに対する開口部を画定している、アンカーと、
前記アンカーの前記キャビティー内に配置された挿入部材と、
前記アンカーに連結されたスリーブであって、前記アンカーの前記近位端部上に配置されたスリーブと、
を備えることを特徴とするアンカーアセンブリ。
【請求項２】
前記アンカーの前記遠位端部は、返しを含むことを特徴とする請求項１に記載のアンカーアセンブリ。
【請求項３】
前記アンカーは、貫通孔を含むことを特徴とする請求項１に記載のアンカーアセンブリ。
【請求項４】
前記アンカーの前記キャビティーは、ねじ部を含むことを特徴とする請求項１に記載のアンカーアセンブリ。
【請求項５】
前記挿入部材は、ねじ切りされた近位部分と、ねじ切りされていない遠位部分と、を含むことを特徴とする請求項１に記載のアンカーアセンブリ。
【請求項６】
前記挿入部材は、カニューレを含むことを特徴とする請求項１に記載のアンカーアセンブリ。
【請求項７】
前記スリーブは、ねじ切りされた近位部分と、ねじ切りされていない遠位部分と、を含むことを特徴とする請求項１に記載のアンカーアセンブリ。
【請求項８】
前記アンカーは、突起を含むことを特徴とする請求項１に記載のアンカーアセンブリ。
【請求項９】
組織修復のためのアンカー供給装置であって、
ハンドルと、
前記ハンドルに連結された第１のノブと、
前記ハンドルに連結された第２のノブと、
前記ハンドルに連結されたシャフトであって、外側部材、前記外側部材内に配置された内側部材、及び、前記内側部材内に配置された駆動部を含む、シャフトと、
を備えることを特徴とする、組織修復のためのアンカー供給装置。
【請求項１０】
前記駆動部の近位部分は、前記第１のノブに連結されており、前記外側部材の近位部分は、前記第２のノブに連結されることを特徴とする請求項９に記載のアンカー供給装置。
【請求項１１】
前記外側部材に連結されたスリーブ、前記内側部材に連結されたアンカー、及び、前記アンカーのキャビティー内に配置された挿入部材であって、前記駆動部に連結される挿入部材をさらに備えていることを特徴とする請求項９又は１０に記載のアンカー供給装置。
【発明の詳細な説明】
【技術分野】
【０００１】
［関連出願の相互参照］
この出願は、２００９年１１月１０日に提出された米国特許出願第６１／２５９７３２号明細書のＰＣＴ国際出願であり、その開示は、その全体を参照することによって本願に組み込まれる。
【０００２】
本願開示は、組織修復に関し、より具体的には組織を骨に固定するためのアンカーに関する。
【背景技術】
【０００３】
関節鏡手術（arthroscopic procedure）は多くの場合、軟組織が骨に再度取り付つけされることを必要とする。これを達成するために、アンカーは骨内に配置され、アンカーに取り付けられた縫合糸は軟組織を貫通して、軟組織を適所にしっかりと保持する。骨に対する軟組織の修復を行う場合に、骨と組織との間の可能な限り大きな接触領域を有することは、有利である。複数の列をなして互いから離隔されたアンカーポイントは、広い接触領域を有する修復を生じる。大きな接触領域に亘って複数の取付ポイントを使用して組織を骨にしっかりと取り付ける処置、及びそのような処置で使用するための構成要素は、必要とされる。そのような処置は、患者にとって、最小限の回復時間で迅速且つ効率的な方法で行われることを可能にしなければならない。
【発明の概要】
【課題を解決するための手段】
【０００４】
一の態様において、本願開示は、アンカーアセンブリに関する。該アンカーアセンブリは、遠位部分及び近位部分を含んでいるアンカーであって、キャビティー及び該キャビティーに対する開口部を画定しているアンカーと、該アンカーのキャビティー内に配置される挿入部材と、該アンカーに連結されたスリーブであって、該アンカーの近位部分上に配置されるスリーブと、を含む。一の実施形態において、アンカーの遠位部分は返し（barb）を含む。他の実施形態において、アンカーは貫通孔を含む。さらなる他の実施形態において、キャビティーはねじ部を含む。さらなる実施形態において、挿入部材は、ねじ切りされた近位部分と、ねじ切りされていない遠位部分と、を含む。さらにさらなる実施形態において、挿入部材はカニューレを含む。一の実施形態において、スリーブは、ねじ切りされた近位部分と、ねじ切りされていない遠位部分と、を含む。他の実施形態において、アンカーは突起を含む。
【０００５】
他の態様において、本願開示は、組織修復のためのアンカー供給装置であって、ハンドルと、前記ハンドルに連結された第１のノブと、前記ハンドルに連結された第２のノブと、前記ハンドルに連結されたシャフトであって、外側部材、前記外側部材内に配置された内側部材、及び、前記内側部材内に配置された駆動部を含む、シャフトと、を備えている、組織修復のためのアンカー供給装置に関する。一の実施形態において、前記駆動部の近位部分は、前記第１のノブに連結されており、前記外側部材の近位部分は、前記第２のノブに連結される。他の実施形態において、前記アンカー供給装置は、前記外側部材に連結されたスリーブ、前記内側部材に連結されたアンカー、及び、前記アンカーのキャビティー内に配置された挿入部材であって、前記駆動部に連結される挿入部材をさらに備えている。
【０００６】
本願発明のさらなる特徴、態様、及び利点、同様に、本願発明の様々な実施形態の構造及び動作は、添付した図面を参照して以下に詳細に記載される。
【０００７】
添付した図面は、明細書に組み込まれ、且つ明細書の一部を形成しており、本願発明の実施形態を図示し、本願発明の説明と共に、本願発明の原理を説明するのに役立つ。
【図面の簡単な説明】
【０００８】
【図１】本願開示のアンカーアセンブリの分解図を示す図である。
【図２】図１のアンカーアセンブリの側面図を示す図である。
【図３】図２のスリーブの断面図を示す図である。
【図４】図１のアンカーアセンブリのアンカーの側面図を示す図である。
【図５】図４のアンカーの断面図を示す図である。
【図６】図１のアンカーアセンブリの挿入部材の断面図を示す図である。
【図７】本願開示のアンカー供給装置の等角図を示す図である。
【図８】骨内へのアンカーアセンブリの挿入前の、図７のアンカー供給装置の断面図を示す図である。
【図９】図８のアンカー供給装置のシャフトの遠位端部の拡大図である。
【図１０】骨内へのアンカーアセンブリの挿入後の、図７のアンカー供給装置の断面図を示す図である。
【図１１】図１０のアンカー供給装置のシャフトの遠位端部の拡大図を示す図である。
【図１２】アンカーアセンブリが骨内に配置された後の、本願開示のアンカーアセンブリの側面図を示す図である。
【図１３】図１２のアンカーアセンブリの断面図を示す図である。
【発明を実施するための形態】
【０００９】
実施形態は、本願発明の原理及びその実用的な用途を最もよく説明するために選択され、且つ記載されており、それによって、当業者が、予期された特定の使用に適したように、様々な変更とともに、様々な実施形態で本願発明を最もよく利用することができる。
【００１０】
図１〜６は、本願開示のアンカーアセンブリ１０の構成要素を示す。アンカーアセンブリ１０は、アンカー１１と、挿入部材１２と、スリーブ１３と、を含む。アンカー１１は、遠位部分１１ａと、近位部分１１ｂと、前記アンカー１１内に画定されたキャビティー１１ｃと、該キャビティー１１ｃに対する開口部１１ｃ’と、２つの開口部１１ｄ’を有する貫通孔１１ｄと、各開口部１１ｄ’の下に位置した突起１１ｅと、前記遠位部分１１ａの外側表面１１ａ’上に位置した返し１１ｆと、を含む。前記挿入部材１２は、ねじ部１２ａ’を有する近位部分１２ａと、遠位部分１２ｂと、カニューレ１２ｃと、を含む。スリーブ１３は、ねじ切りされた近位部分１３ａと、ねじ切りされていない遠位部分１３ｂ、キャビティー１３ｃと、該キャビティーに対する開口部１３ｄと、を含む。アンカーのキャビィー１１ｃはねじ部１１ｃ’’を含んでおり、該ねじ部１１ｃ’’は、挿入部材１２をキャビティー１１ｃ内に挿入する際に、挿入部材１２のねじ部１２ａ’と係合する。
【００１１】
図７〜１１は、図１のアンカーアセンブリとともに使用するための供給装置２０を示す。該供給装置２０は、ハンドル２１と、前記ハンドル２１に連結された第１のノブ２２と、前記ハンドル２１に連結された第２のノブ２３と、前記ハンドル２１に連結されたシャフト２４と、を含む。該シャフト２４は、外側部材２４ａと、該外側部材２４ａ内に配置された内側部材２４ｂと、該内側部材２４ｂ内に配置された駆動部２５と、を含む。
【００１２】
図８〜１１に示されるように、該駆動部２５の近位部分２５ａは、前記第１のノブ２３に連結されており、前記外側部材２４ａの近位部分２６ａは、可動部材２７を介して第２のノブ２２に連結される。可動部材２７は、遠位部分２７ａと、近位部分２７ｂと、カニューレ２７ｃと、を含む。近位部分２７ｂは、外側表面２７ｂ’’上にねじ部２７ｂ’を含む。可動部分２７は、ハンドル２１のキャビティー２１ａ内に位置する。キャビティー２１ａは、遠位部分２１ａ’と、近位部分２１ａ’’と、を含む。近位部分２１ａ’’はねじ部２１ｂを含んでおり、該ねじ部２１ｂは、近位部分の外側表面２７ｂ’’上のねじ部２７ｂ’と係合する。さらに以下に説明するように、キャビティーの近位部分２１ａ’’と可動部材２７のねじ式係合に起因して、第１のノブ２２の回転は、外側部材２４ａをシャフト２４の長さに沿って軸方向に移動させる。可動部材の遠位部分２７ａの端部２７ａ’がキャビティーの遠位部分２１ａ’の端部２１ｃと係合する場合に、第１のノブ２２の回転は中断され、それによって骨内へのスリーブ１３の過度の挿入を防止する。
【００１３】
駆動部２５の近位部分２５ａはねじ部２５ａ’を含んでおり、該ねじ部２５ａ’は、前記内側部材２４ｂの内側表面２４ｂ’上のねじ部２９と係合する。駆動部２５及び内側部材２４ｂのねじ式係合は、第２のノブ２３の回転を介して、シャフト２４に沿って駆動部２５の軸方向の移動を可能にする。奥行き停止部２５ｂが内側部材２４ｂの端部２４ｂ’’と係合する場合に、第２のノブ２３の回転は中断され、それによって、以下にさらに説明するように、アンカー１１内への挿入部材１２の過度の挿入を防止する。
【００１４】
組織修復中に、縫合糸は軟組織に取り付けられ、穴は骨に形成され、縫合糸の両端はアンカー１１の貫通孔１１ｄを通じて配置され、アンカー１１は、供給装置２０の軸方向の進行を介して骨穴内に配置される。第２のノブ２３は、挿入部材１２を軸方向に移動させるために、且つ縫合糸をアンカー１１に固定させるために回転され、第１のノブ２２は次いで、スリーブ１３を軸方向に移動させ、スリーブ１３の遠位端部１３ｂをアンカー１１の近位端部１１ｂの上に配置し、且つスリーブ１３と骨との間の縫合糸をさらに固定するために回転される。図１２及び図１３は、縫合糸なしで組み立てられたアンカーアセンブリ１０を示す。縫合糸は、縫合糸を係合するために、挿入部材１２を進行させる前に緊張させる場合がある。必要に応じて、縫合糸アンカーは骨内に配置されてもよく、縫合糸の両端が軟組織を通じて配置されてもよく、且つ次いで両端が、アンカー１１の貫通孔１１ｄを通じて配置されてもよい。修復は、上述されるように続けられるであろう。類似の修復は、米国特許出願公開第２００９／０１１２２７０号明細書，米国特許出願公開第２０１０／００１６８６９号明細書、及び米国特許出願公開第２０１０／００１６９０２号明細書に示され、且つ記載される。これらの開示は、それらの全体を参照によって本願に組み込まれる。
【００１５】
アンカーアセンブリの構成要素は、射出成形プロセスを介してポリマー材料から製造される。しかしながら、他の材料及び他のプロセスは、使用されてもよい。供給装置のハンドル及びノブは、射出成形プロセスを介してポリマー材料から製造される。ハンドル及びノブは、締り嵌めを介して連結される。しかしながら、他の材料、他の製造プロセス、及び他の連結方法は、使用されてもよい。シャフトの構成要素は、押出しプロセス又は引抜きプロセスを介して金属材料から製造される。シャフトの構成要素は、螺合又は締り嵌めを介してハンドル及びノブに連結される。しかしながら、他の材料、他の製造プロセス、及び他の連結方法は、使用されてもよい。
【００１６】
様々な変更が本願発明の技術的範囲から逸脱することなく本願に記載され、且つ図示された構成及び方法で行われるので、前述した説明に含まれる全ての事項又は添付した図面で示される全ての事項が制限よりは図示の目的として解釈されるであろうことは、意図される。それ故に、本願発明の幅及び技術的範囲は、上述された例示的な実施形態のいずれかによって制限されるべきではないが、本願に添付された以下の特許請求の範囲及びそれらの同等物に従ってのみ規定されるべきである。
【符号の説明】
【００１７】
１０  アンカーアセンブリ
１１  アンカー
１１ａ  遠位部分
１１ａ’  外側表面
１１ｂ  近位部分
１１ｃ  キャビティー
１１ｃ’  開口部
１１ｃ’’  ねじ部
１１ｄ  貫通孔
１１ｄ’  開口部
１１ｅ  突起
１１ｆ  返し
１２  挿入部材１２
１２ａ  近位部分
１２ａ’  ねじ部
１２ｂ  遠位部分
１２ｃ  カニューレ
１３  スリーブ
１３ａ  ねじ切りされた近位部分
１３ｂ  ねじ切りされていない遠位部分
１３ｃ  キャビティー
１３ｄ  開口部
２０  供給装置
２１  ハンドル
２１ａ  キャビティー
２１ａ’  遠位部分
２１ａ’’  近位部分
２２  第１のノブ
２３  第２のノブ
２４  シャフト
２４ａ  外側部材
２４ｂ  内側部材
２４ｂ’  内側表面
２４ｂ’’  端部
２５  駆動部
２５ａ  近位部分
２５ａ  ねじ部’
２６ａ  近位部分
２７  可動部材
２７ａ  遠位部分
２７ｂ  近位部分
２７ｂ’  ねじ部
２７ｂ’’  外側表面
２７ｃ  カニューレ
２９  ねじ部
【図１】
2013510660.tif 000003
【図２】
2013510660.tif 000004
【図３】
2013510660.tif 000005
【図４】
2013510660.tif 000006
【図５】
2013510660.tif 000007
【図６】
2013510660.tif 000008
【図７】
2013510660.tif 000009
【図８】
2013510660.tif 000010
【図９】
2013510660.tif 000011
【図１０】
2013510660.tif 000012
【図１１】
2013510660.tif 000013
【図１２】
2013510660.tif 000014
【図１３】
2013510660.tif 000015
【国際調査報告】
2013510660.tif 000016
2013510660.tif 000017
2013510660.tif 000018
2013510660.tif 000019
2013510660.tif 000020